(57)【要約】【課題】ズボンや靴を脱ぐことなく、外出先でも手軽に脱ぐことのできるズボン下を提供する。【解決手段】ズボン下１００は、ズボン下１００の前部を構成するズボン下前部１０と、ズボン下の後部を構成するズボン下後部２０とが、股下部分３０で接合されており、かつズボン下前部１０とズボン下後部２０との側面における連結位置にオープンファスナ４０が設けられており、オープンファスナ４０によってズボン下１００の側面が開放、連結可能とされている。これによって、オープンファスナを開放してズボン下を上方に引き抜くことが可能となり、ズボンや靴を履いたままでズボン下を脱げるようになる。【選択図】図１
2007023438.tif 000002
【特許請求の範囲】
【請求項１】
ズボン下の前部を構成するズボン下前部と、ズボン下の後部を構成するズボン下後部とが、股下部分で接合されており、かつ前記ズボン下前部とズボン下後部との側面における連結位置にオープンファスナが設けられており、オープンファスナによってズボン下の側面が開放、連結可能とされていることを特徴とするズボン下。
【請求項２】
請求項１に記載のズボン下であって、
前記オープンファスナが柔軟性のある部材で構成された薄型のファスナであることを特徴とするズボン下。
【請求項３】
請求項１又は２に記載のズボン下であって、
前記オープンファスナがズボン下と同色であることを特徴とするズボン下。
【請求項４】
請求項１から３のいずれか一に記載のズボン下であって、
腰部分にズボン下のずり落ちを防止する腰締結手段を設けたことを特徴とするズボン下。
【発明の詳細な説明】
【技術分野】
【０００１】
本発明は、ズボンの下に履くズボン下に関する。
【背景技術】
【０００２】
アウトドア派にとって寒気の早朝は、どの程度の防寒装備で外出するかは、その日を一日快適に過ごすためには欠かせない判断となる。上着は暑くなると適宜脱ぐことが可能であるが、下着の場合は容易でない。例えば早朝ゴルフに出かける場合、朝方は肌寒いためズボン下を履いて外出するが、日中は高温となりズボン下を脱ぎたくなることがあるが、外ではズボンや靴を脱ぐ場所が確保できず、ましてやゴルフのプレー中では着替え場所の確保は困難となる。このような場合は暑いまま我慢してズボン下を履いたままでいるしなかなった。特に、高齢になるほど、ズボン下を外でも脱げるようにしたいというニーズが高いという実情があった。
【０００３】
一方、ズボンの上から履くタイプの防寒用・防水用あるいは作業用のズボンにおいては、股部で前部材と後部材を連結し、側面をオープンファスナで全開して前後に分離できるサイドフルオープンパンツが開発されている（例えば特許文献１参照）。このタイプのサイドフルオープンパンツは、ズボンの上から靴を脱がずに着脱できるが、防寒・防水・防護といった用途のため厚い素材で構成されており嵩張るため、ズボンの下に履くことはできなかった。特に、分厚い素材を連結するためにオープンファスナはしっかりしたものが使用され、その結果ファスナが大きく重くなり、下着として利用することは到底できなかった。
【特許文献１】特開２００１−２４８００５号公報
【発明の開示】
【発明が解決しようとする課題】
【０００４】
本発明は、このような要求に鑑みて成されたものである。本発明の主な目的は、ズボンや靴を脱ぐことなく、外出先でも手軽に脱ぐことのできるズボン下を提供することにある。
【課題を解決するための手段】
【０００５】
上記の目的を達成するために、本発明の第１の側面に係るズボン下は、ズボン下の前部を構成するズボン下前部と、ズボン下の後部を構成するズボン下後部とが、股下部分で接合されており、かつズボン下前部とズボン下後部との側面における連結位置にオープンファスナが設けられており、オープンファスナによってズボン下の側面が開放、連結可能とされている。これによって、オープンファスナを開放してズボン下を上方に引き抜くことが可能となり、ズボンや靴を履いたままでズボン下を脱げるようになる。
【０００６】
また、本発明の第２の側面に係るズボン下は、オープンファスナが柔軟性のある部材で構成された薄型のファスナである。これによって、オープンファスナを設けたことでズボン下の柔軟性が阻害されることを回避でき、通常のズボン下と同様に動きやすい下着として利用できる。また薄型のファスナを使用することで、オープンファスナの厚さでズボン下が部分的に厚くなることも回避できる。
【０００７】
さらに、本発明の第３の側面に係るズボン下は、オープンファスナがズボン下と同色である。これによって、ファスナ部分が目立つことなく、通常のズボン下と同様に利用できる。
【０００８】
また、本発明の第４の側面に係るズボン下は、腰部分にズボン下のずり落ちを防止する腰締結手段を設けている。これによって、ズボン下のずり落ちを効果的に防止できる。腰締結手段には、好適にはゴムが利用できる。
【発明の効果】
【０００９】
本発明のズボン下によれば、ズボンや靴を履いたままでズボン下を脱ぐことが可能となり、外出先でも着替えの場所を気にすることなく比較的容易にズボン下を脱ぐことができるので、例えば暖かくなったときなど、使用者は所望のタイミングでズボン下を脱げ、安心して厚着して外出できる。これによって、特に高齢者等、冷えることを嫌う体質の者が十分な防寒対策を講じつつ、それが過剰になってしまう懸念を回避できる。
【発明を実施するための最良の形態】
【００１０】
以下、本発明の実施の形態を図面に基づいて説明する。ただし、以下に示す実施の形態は、本発明の技術思想を具体化するためのズボン下を例示するものであって、本発明はズボン下を以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００１１】
図１に、本発明の実施の形態に係るズボン下の外観を示す。この図に示すズボン下１００は、前部を構成するズボン下前部１０と、ズボン下１００の後部を構成するズボン下後部２０とが、股下部分３０で接合される一方で、側面においてはオープンファスナ４０で開閉可能としている。オープンファスナ４０は、腰の部分から足首まで連続してほぼ直線状に設けられ、ズボン下１００の左右側面を完全に開放可能とする。図１の例ではオープンファスナ４０を部分的に開放した状態を例示している。なおズボン下の素材は吸湿性、伸縮性や肌触りに優れた木綿やポリエステルなど、既知の天然又は合成繊維などの生地で構成される。
（オープンファスナ４０）
【００１２】
オープンファスナ４０は、市販のファスナが利用できる。好ましくは、ズボン下としての柔軟性すなわち着用時の動きやすさを阻害しないよう、柔軟性のある部材で構成する。例えば金属よりもプラスチック等の方が軽くて柔軟性があり、かつ肌に触れても冷たくないので好適に利用できる。
【００１３】
また、ファスナ部分で厚くなって肌を押圧し、抵抗感や圧迫感を感じないよう、薄型のファスナとすることが好ましい。なお図４に示すようなファスナの開閉具４２は、可動式の引き手４４を設けるため特に大きくなり易いので、この部分を薄くした機構を採用することが好ましい。ただ、ズボン下の着用時は、ファスナの開閉具４２が腰若しくは足首の部分に位置することが多いので、余り邪魔になることもないため、ファスナ開閉時の使い勝手を阻害しない程度に止めることがより好ましい。
【００１４】
さらにオープンファスナ４０の色は、ズボン下と同じ色とする。例えばズボン下が白の木綿やポリエステルの場合は、オープンファスナも白色のもの、あるいは白色に着色したものが使用できる。同様に肌色のズボン下に対しては、肌色のオープンファスナを使用する。これによってオープンファスナの部分が目立たなくなり、通常のズボン下と同様に着用できる。
【００１５】
なお、オープンファスナには、波形ファスナやレールファスナ、コイルファスナ、ジグザグファスナといったスライド型のファスナの他、フックテープとループテープを組み合わせた面ファスナやホックあるいはボタン式なども利用できる。特に本発明においては、ズボン下の側面を保持できる連結機構であれば利用できるので、このようなものも包含する意味で本明細書ではオープンファスナと呼ぶ。さらにオープンファスナは、ズボン下を脱ぐ際、すなわち後述するようにズボン下を腰の部分から引き抜く際に、ファスナの噛合部分が肌を引っ掻いたりして傷付けることを回避するために、エッジ部分の少ないタイプのファスナを使用するか、あるいはエッジ部分を面取りするなど、突出部分を少なくしたものを使用することが好ましい。
（腰締結手段５０）
【００１６】
ズボン下１００の腰部分には、ズボン下１００のずり落ちを防止する腰締結手段５０が設けられる。腰締結手段５０には、好適にはゴムが利用でき、ゴム紐や板状のゴムがより好ましい。また互いに着脱自在の掛け金や留め金などの駒ホックやボタン等による締結や、ベルト等を超し締結部材として使用することもできる。
（使用方法）
【００１７】
次に、本実施の形態に係るズボン下を使用し、ズボン下を着用した状態から脱ぐ手順を図２〜図３に基づいて説明する。図２は、予めオープンファスナ４０で側面を連結した状態のズボン下１００を使用者が着用し、その上からズボンＺや靴Ｋなどを着用した状態から、ズボン下１００を脱ぐ手順を示している。まず、左右のズボンＺの裾を捲り上げ、オープンファスナ４０の開閉具４２の引き手４４を引き上げるようにしてズボン下１００を下方から徐々に開放していく。ズボンＺの裾は股下以上に引き上げることができないので、引き手４４もそれ以上に引き上げることができない。そこで、図３に示すように、今度は上から、すなわち腰の部分から手を入れてオープンファスナ４０を全開する。ここでは、ズボンＺのベルトなどを外して腰の周りを緩めた状態とし、腰の側面に手を入れてオープンファスナ４０の引き手４４（図４参照）を引き上げる。なお、この例ではオープンファスナ４０の開閉具４２を下から上に引き上げて開放する構成を示したが、開閉具を上から下に、すなわち腰から足首にかけて引き下ろすようにして開放する構成においても、上記と逆の手順でオープンファスナを全開できる。さらにオープンファスナに、スライド式の開閉具を２個備えたダブルファスナとすることもでき、上下いずれの側からも分離可能としてもよい。さらにまた、開閉具に備えた引き手を直接手で操作する他、例えば引き手に糸や紐、チェーンを連結して、腰や足首から引っ張ることによってオープンファスナを開放する構成としてもよい。
【００１８】
このようにして左右のオープンファスナ４０を全開すると、腰の部分からズボン下１００を引き抜くことが可能となる。例えば腰の前面からズボン下前部１０を掴んで引き上げると、股下部分３０で連結されたズボン下後部２０が使用者の股下を通過して前面から引き抜かれ、結果的にズボン下全体が引き抜かれる、すなわちズボンＺを着用したままズボン下１００のみを脱ぐことができる。また逆に腰の後面からズボン下後部２０を掴んで引き上げることで、ズボン下前部１０が股下を通過して後方に引き抜かれるようにしてズボン下を脱ぐことも可能であるが、この場合は使用者が自分で行うことは面倒なので、他の者のサポートを得ることが望ましい。このように、本実施の形態によればズボンを下ろすことなく、また靴を脱ぐことなく、比較的簡単にズボン下のみを脱ぐことが可能であり、外出先においてもズボン下の脱衣を実現できる。
【産業上の利用可能性】
【００１９】
本発明のズボン下は、股引、すててこ、バッチなどの下着に好適に適用できる。
【図面の簡単な説明】
【００２０】
【図１】本発明の一実施の形態に係るズボン下の外観を示す斜視図である。
【図２】図１のズボン下を着用した状態から脱ぐ手順を示す説明図である。
【図３】図１のズボン下を着用した状態から脱ぐ手順を示す説明図である。
【図４】オープンファスナの一例を示す外観図である。
【符号の説明】
【００２１】
１００…ズボン下
１０…ズボン下前部
２０…ズボン下後部
３０…股下部分
４０…オープンファスナ
４２…開閉具
４４…引き手
５０…腰締結手段
Ｚ…ズボン
Ｋ…靴
【図１】
2007023438.tif 000003
【図２】
2007023438.tif 000004
【図３】
2007023438.tif 000005
【図４】
2007023438.tif 000006